(57)【特許請求の範囲】
【請求項１】
無線通信システムで端末の測定方法において、
サービングセルまたは隣接セル測定のための所定サイズのビットマップのパターン情報を含むＲＲＣ連結再設定メッセージを基地局から受信する段階と；
前記パターン情報の前記ビットマップに一対一でマッピングし、サブフレームで前記サービングセルまたは隣接セルを測定する段階と；を含み、
前記サービングセルまたは隣接セルを測定する段階は、
前記ビットマップのビットの少なくとも一部が、最後のシステムフレームナンバー（Ｓｙｓｔｅｍ Ｆｒａｍｅ Ｎｕｍｂｅｒ、ＳＦＮ）を持つサブフレームと一対一でマッピングされた以後、ＳＦＮが０にリセットされた場合、前記ビットマップの一番目のビットを、前記ＳＦＮが０であるフレームの一番目のサブフレームにマッピングさせることを特徴とする端末の測定方法。
【請求項２】
基地局に測定結果を報告する段階をさらに含むことを特徴とする請求項１に記載の端末の測定方法。
【請求項３】
前記ビットマップの一番目のビットの次のビットは、前記ＳＦＮが０であるフレームの一番目のサブフレームの次のサブフレームと一対一でマッピングされることを特徴とする請求項１に記載の端末の測定方法。
【請求項４】
前記ビットマップは、前記サブフレームに繰り返してマッピングされることを特徴とする請求項１に記載の端末の測定方法。
【請求項５】
前記ＲＲＣ連結再設定メッセージを受信する以前に、
基地局から能力報告要請メッセージを受信する段階と；
干渉調整能力情報を含む能力報告メッセージを伝送する段階と；をさらに含むことを特徴とする請求項１に記載の端末の測定方法。
【請求項６】
前記無線通信システムは、前記ビットマップのサイズが異なる周波数分割二重化方式または時間分割二重化方式のうち一つを使用し、
前記ビットマップのサイズは、前記無線通信システムが前記時間分割二重化方式を使用する場合、時間分割二重化設定によって決定されることを特徴とする請求項１に記載の端末の測定方法。
【請求項７】
前記測定する段階は、
システムフレームナンバーの終了時点近接時に、前記システムフレームナンバーの繰り返し周期が前記ビットマップのサイズの整数倍であるかを判断する段階と；
整数倍ではない場合、前記システムフレームナンバーの値が０になる時点に現在適用されている前記パターン情報の適用を終了する段階と；
前記ビットマップの一番目のビットを前記システムフレームナンバーの値が０であるフレームの一番目のサブフレームにマッピングさせて前記測定を行う段階と；を含むことを特徴とする請求項１に記載の端末の測定方法。
【請求項８】
無線通信システムでサービングセルまたは隣接セルを測定する端末において、
基地局と信号を送受信する送受信機と；
サービングセルまたは隣接セル測定のための所定サイズのビットマップのパターン情報を含むＲＲＣ連結再設定メッセージを基地局から受信し、前記パターン情報の前記ビットマップに一対一でマッピングし、サブフレームで前記サービングセルまたは隣接セルを測定するように制御する制御部と；を含み、
前記ビットマップのビットの少なくとも一部が、最後のシステムフレームナンバー（Ｓｙｓｔｅｍ Ｆｒａｍｅ Ｎｕｍｂｅｒ、ＳＦＮ）を持つサブフレームと一対一でマッピングされた以後、ＳＦＮが０にリセットされた場合、前記ビットマップの一番目のビットを、前記ＳＦＮが０であるフレームの一番目のサブフレームにマッピングさせることを特徴とする端末。
【請求項９】
前記制御部は、
前記基地局に測定結果を報告するように制御することを特徴とする請求項８に記載の端末。
【請求項１０】
前記ビットマップの一番目のビットの次のビットは、前記ＳＦＮが０であるフレームの一番目のサブフレームの次のサブフレームと一対一でマッピングされることを特徴とする請求項８に記載の端末。
【請求項１１】
前記ビットマップは、前記サブフレームに繰り返してマッピングされることを特徴とする請求項８に記載の端末。
【請求項１２】
前記制御部は、
前記ＲＲＣ連結再設定メッセージを受信する以前に、基地局から能力報告要請メッセージを受信し、干渉調整能力情報を含む能力報告メッセージを伝送するように制御することを特徴とする請求項８に記載の端末。
【請求項１３】
前記無線通信システムは、前記ビットマップのサイズが異なる周波数分割二重化方式または時間分割二重化方式のうち一つを使用し、
前記ビットマップのサイズは、前記無線通信システムが前記時間分割二重化方式を使用する場合、時間分割二重化設定によって決定されることを特徴とする請求項８に記載の端末。
【請求項１４】
前記制御部は、
システムフレームナンバーの終了時点近接時に前記システムフレームナンバーの繰り返し周期が前記ビットマップのサイズの整数倍であるかを判断し、整数倍ではない場合、前記システムフレームナンバーの値が０になる時点に現在適用されている前記パターン情報の適用を終了し、前記ビットマップの一番目のビットを前記システムフレームナンバーの値が０であるフレームの一番目のサブフレームにマッピングさせて前記測定を行うことを特徴とする請求項８に記載の端末。
【発明の詳細な説明】
【技術分野】
【０００１】
本発明は、無線通信システムに関し、より具体的には、セル間の干渉電力量を効率的に制御する方法及び装置に関する。
【背景技術】
【０００２】
一般的に、移動通信システムは、ユーザの移動性を確保しながら通信を提供するための目的で開発された。このような移動通信システムは、技術の飛躍的な発展に伴い、音声通信はもちろん、高速のデータ通信サービスを提供することができる段階に至った。
【０００３】
近年、次世代移動通信システムのうち１つとして、３ＧＰＰでＬＴＥ（Ｌｏｎｇ  Ｔｅｒｍ  Ｅｖｏｌｕｔｉｏｎ）に対する規格作業が進行中にある。ＬＴＥは、２０１０年程度を商用化の目標にして、現在提供されているデータ伝送率よりも高い最大１００Ｍｂｐｓ程度の伝送速度を有する高速パケット基盤通信を具現する技術である。このために、さまざまな方案が論議されているが、例えば、ネットワークの構造を簡単にして、通信路上に位置するノードの数を減らす方案や、無線プロトコルを最大限無線チャネルに近接させる方案などが論議中にある。
【０００４】
一方、データサービスは、音声サービスとは異なって、伝送しようとするデータの量とチャネル状況によって割り当てることができる資源などが決定される。したがって、移動通信システムのような無線通信システムでは、スケージュラで伝送しようとする資源の量とチャネルの状況及びデータの量などを考慮して伝送資源を割り当てるなどの管理が行われる。これは、次世代移動通信システムのうち１つであるＬＴＥでも同一に行われ、基地局に位置するスケージュラが無線伝送資源を管理し、割り当てる。
【０００５】
最近、ＬＴＥ通信システムにさまざまな新技術を結合し、伝送速度を向上させる進化したＬＴＥ通信システム（ＬＴＥ−Ａｄｖａｎｃｅｄ、ＬＴＥ−Ａ）に対する論議が本格化されている。前記新しく導入される技術のうち、ｅＩＣＩＣ（ｅｎｈａｎｃｅｄ  Ｉｎｔｅｒ−ｃｅｌｌ  Ｉｎｔｅｒｆｅｒｅｎｃｅ  Ｃｏｏｒｄｉｎａｔｉｏｎ）がある。ｅＩＣＩＣは、セル間の干渉を低減する技術であって、サブフレーム（ｓｕｂｆｒａｍｅ）単位で、干渉を与えるセルが送信出力を低減するか、または初めからデータを伝送しないので、隣接セルに当該サブフレームに対する干渉を低減する。隣接セル内の端末は、当該サブフレームに限って、チャネル測定を行い、隣接セルと無線リンクを維持し、データを伝送することができる機会を得ることができる。このようなサブフレームをほぼ空きのサブフレーム（Ａｌｍｏｓｔ  Ｂｌａｎｋ  Ｓｕｂｆｒａｍｅ、ＡＢＳ）と言い、一定のパターンを持って適用される。ＡＢＳパターンは、サービングセルでの無線資源管理（ＲＲＭ／ＲＬＭ）測定、隣接セルでのＲＲＭ測定、サービングセルでのチャネル状態情報（Ｃｈａｎｎｅｌ  Ｓｔａｔｕｓ  Ｉｎｆｏｒｍａｔｉｏｎ、ＣＳＩ）測定などの目的によって様々な種類が提供され、ＦＤＤ／ＴＤＤによってパターンサイズが変わる。したがって、場合によって多様なパターンを適切に運用する方法が要求される。
【発明の概要】
【発明が解決しようとする課題】
【０００６】
本発明は、このような要求に応ずるためになされたものであって、その目的は、ＡＢＳパターンを利用してセル間の干渉電力量を効率的に制御する方法及び装置を提供することにある。
【課題を解決するための手段】
【０００７】
前記のような問題点を解決するために、本発明の無線通信システムにおいて端末の測定方法は、サービングセルまたは隣接セル測定のためのパターン情報を含むＲＲＣ連結再設定メッセージを基地局から受信する段階と、前記ＲＲＣ連結再設定メッセージで指示する測定対象に対して、前記パターン情報を利用して前記サービングセルまたは隣接セルを測定する段階と、前記測定結果を前記基地局に報告する段階とを含むことを特徴とする。
また、本発明の無線通信システムにおいてサービングセルまたは隣接セルを測定する端末は、基地局と信号を送受信し、前記サービングセルまたは隣接セルに対する測定を行う送受信機と、前記サービングセルまたは隣接セル測定のためのパターン情報を含むＲＲＣ連結再設定メッセージを基地局から受信し、前記ＲＲＣ連結再設定メッセージで指示する測定対象に対して前記パターン情報を利用して前記サービングセルまたは隣接セルを測定し、前記測定結果を前記基地局に報告するように制御する制御部とを含むことを特徴とする。
【発明の効果】
【０００８】
本発明によれば、セル間の干渉電力量を効率的に制御することができる。
【図面の簡単な説明】
【０００９】
【図１】マクロセルとＣＳＧセル間の干渉シナリオを説明するための図である。
【図２】マクロセルとピコセル間の干渉シナリオを説明するための図である。
【図３】ｅＩＣＩＣ技術で適用されるパターンを説明するための図である。
【図４】パターン１に対するＲＲＣシグナリングを説明するための図である。
【図５】パターン２に対するＲＲＣシグナリングを説明するための図である。
【図６】パターン３に対するＲＲＣシグナリングを説明するための図である。
【図７】ビットマップ情報とサブフレームマッピング関係を説明するための図である。
【図８】本発明での追加的な動作定義を説明するための図である。
【図９】ｅＩＣＩＣを行う端末の動作流れ図である。
【図１０】本発明を適用した端末の内部構造である。
【図１１】従来のチャネル状態情報基準信号のスケジューリング情報を利用して、特定サブフレームで伝達されるＣＳＩ報告がどんなパターンを適用するかを指示する過程を示す図である。
【発明を実施するための形態】
【００１０】
以下、添付の図面を参照して本発明の好ましい実施例を詳しく説明する。この際、添付の図面で同一の構成要素は、できるだけ、同一の符号で示していることに留意しなければならない。また、本発明の要旨を不明にすることができる公知機能及び構成に関する詳細な説明を省略する。
【００１１】
ＬＴＥシステムでは、多様な種類のセルを有している。例えば、ＣＳＧ（Ｃｌｏｓｅｄ  Ｓｕｂｓｃｒｉｂｅｒ  Ｇｒｏｕｐ）セルは、あらかじめ選択された端末機だけに対してサービスを提供する。このようなＣＳＧセルは、主に家の内部など主要サービス対象が定められており、サービス半径が短い。ピコ（Ｐｉｃｏ）セルは、５００メートル内の短いサービス半径を有しており、主にトラフィック要求が頻繁なホットスポット（ｈｏｔｓｐｏｔ）地域に設置される。以下では、このようなＣＳＧセルまたはピコセルのように、マクロセルに比べて短いサービス半径を有するセルを超小型基地局と称することもできる。
【００１２】
このようなセルは、サービス半径がマクロセルに比べて相対的に短く、１つのマクロセルのサービス半径内に複数個のＣＳＧセル、ピコセルが存在することができる。ところが、このようなセルは、相互間に干渉を起こすことができるので、以下では、これについて具体的に説明する。
【００１３】
図１は、マクロセルとＣＳＧセル間の干渉シナリオを説明するための図である。
【００１４】
端末１０５は、マクロセル１００と連結され、サービスを提供される。この際、前記端末１０５がＣＳＧセル１１０のサービス領域に移動するものと仮定する。もし、端末１０５がＣＳＧセルのメンバーではない場合、前記端末１０５は、ＣＳＧセル１１０から大きい強度の干渉信号を受信するようになる。したがって、ＣＳＧセル１１０は、攻撃（Ａｇｇｒｅｓｓｏｒ）セルになり、マクロセルは、前記攻撃セルから干渉を受ける犠牲（Ｖｉｃｔｉｍ）セルになる。
【００１５】
図２は、マクロセルとピコセル間の干渉シナリオを説明するための図である。
【００１６】
端末２０５は、ピコセル２１０と連結され、サービスを提供される。この際、前記端末２０５がマクロセル２００のサービス領域に移動することを仮定する。この場合、端末２０５は、マクロセル２００から大きい強度の干渉信号を受信するようになる。
【００１７】
もし、端末２０５がマクロセル２００へハンドオーバーを行うようになれば、このようなマクロセル２００からの干渉を抑制することができる。しかし、セル運営上、ピコセル２１０がさらに多いユーザをサービスすることを希望することができ、このために、セル境界に位置するユーザは、ピコセル２１０からサービスされることができなければならない。したがって、この場合、マクロセルは、攻撃（Ａｇｇｒｅｓｓｏｒ）セルになり、ピコセルは、前記攻撃セルから干渉を受ける犠牲（Ｖｉｃｔｉｍ）セルになる。
【００１８】
ｅＩＣＩＣは、このようなセル間の干渉シナリオにおいて攻撃セルから犠牲セルへの干渉を低減する技術である。Ｒｅｌ−１０でｅＩＣＩＣは、ＰＣｅｌｌだけで適用されるものに制限している。ｅＩＣＩＣで、攻撃セルは、サブフレーム（ｓｕｂｆｒａｍｅ）単位で一定パターンによって、送信出力を低減するか、または初めからデータを伝送しないので、当該サブフレームに対して犠牲セルが経験する干渉を低減する。一方、犠牲セル内の端末は、当該サブフレームに限って、チャネル測定を行い、隣接セル（すなわち、前記犠牲セル）と無線リンクを維持し、データを伝送することができる機会を得ることができる。このようなサブフレームをＡＢＳ（Ａｌｍｏｓｔ  Ｂｌａｎｋ  Ｓｕｂｆｒａｍｅ）と言い、一定のパターンを持って適用される。以下では、このようなパターンをＡＢＳパターンと称することができ、状況によってこれを混用して使用する。
【００１９】
図３はｅＩＣＩＣ技術で適用されるパターンを説明するための図である。
【００２０】
図３では、犠牲セルの連続したサブフレーム構造３００と攻撃セルの連続したサブフレーム構造３０５が示されている。攻撃セルで送信出力を低減するか、初めからデータを伝送しないサブフレームをＡＢＳと称し、図面で３１０に該当する。その他のサブフレームは、従来の電力制御に基盤して、データを伝送することができる。ＡＢＳサブフレームでは、同一時間に伝送される犠牲セルのサブフレームに小さい干渉を起こすか、または初めから干渉を起こさない。一方、ＡＢＳサブフレームを除いた残りのサブフレーム３１５では、犠牲セルに大きい干渉を起こすようになる。
【００２１】
犠牲セルは、ＡＢＳサブフレームの位置によってＲＲＭ測定またはＣＳＩ測定を制限する。前記測定が制限されるサブフレーム３２５とそうではないサブフレーム３２０は、それぞれ０、１で表現される１つのパターン情報を基地局から端末にＲＲＣシグナリングされる。１で表現されるサブフレームは、ＡＢＳであり、これに属しているサブフレームでは、犠牲セルでのチャネル測定またはＣＳＩ測定が制限されない。パターンは、次のように様々な種類が存在する。
【００２２】
−パターン１：サービングセルに対するＲＲＭ／ＲＬＭ測定時に、ＡＢＳ位置指示
−パターン２：ｃａｒｒｉｅｒＦｒｅｑに指示された周波数で隣接セルに対するＲＲＭ測定時に、ＡＢＳ位置指示
−パターン３：サービングセルに対してＣＳＩ測定が制限されないサブフレーム位置指示。パターン１、２とは異なって、２つのパターンが提供される。
【００２３】
パターン３において２つのパターンは、それぞれｃｓｉ−ＭｅａｓＳｕｂｆｒａｍｅＳｅｔ１−ｒ１０とｃｓｉ−ＭｅａｓＳｕｂｆｒａｍｅＳｅｔ２−ｒ１０  ＩＥとして端末に知られる。２つのパターンを有する理由は、効率的なスケジューリングを行うためである。犠牲セルでＡＢＳサブフレームではないサブフレームであると言って、全然データ伝送に使用することができないものではない。したがって、ＡＢＳサブフレームでもデータを伝送し、これに対するＣＳＩ報告を受けて、チャネル状態を確認する必要がある。もしＡＢＳサブフレームではないサブフレームに対して、基地局が比較的良好なＣＳＩを報告されれば、当該サブフレームにスケジューリングを行うこともできる。端末は、２つのパターンに対するＡＢＳ設定情報を格納し、ｃｓｉ−ＭｅａｓＳｕｂｆｒａｍｅＳｅｔ１−ｒ１０とｃｓｉ−ＭｅａｓＳｕｂｆｒａｍｅＳｅｔ２−ｒ１０が示すパターンによってＣＳＩ情報を測定する。
【００２４】
図１１は、従来のチャネル状態情報基準信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）のスケジューリング情報を利用して、特定サブフレームで伝達されるＣＳＩ報告がどんなパターンを適用すべきかを指示する過程を示している。ＣＳＩ測定のためのパターンの種類は、２つであり、１１００と１１０５である。各パターンは、ＣＳＩ測定のために使用されるサブフレームを指示する。もしサブフレーム１１１５でＣＳＩ報告を行う場合、ＣＳＩ−ＲＳを考慮するサブフレーム１１１０がいずれか１つのパターンが指示するサブフレームと一致するかを判断する。一番目のパターン１１００は、参考するＣＳＩ−ＲＳを伝送するサブフレームと一致するサブフレームを指示しない。一方、二番目のパターン１１０５は、ＣＳＩ−ＲＳを伝送するサブフレームと一致する１つのサブフレーム１１２０を指示する。したがって、１１１５でのＣＳＩ報告は、二番目のパターンを適用する。問題は、１１２５のように、２つのパターンが共にＣＳＩ−ＲＳを参考するサブフレームであることを指示するか、またはいずれのパターンも当該サブフレームであることを指示しない場合である。これを解決するために、明示（Ｅｘｐｌｉｃｉｔ）されたシグナリングを通じて、特定サブフレームで伝達されるＣＳＩ報告がどんなパターンを適用すべきかを１ビットで指示する。一番目のＡＢＳパターンが適用されれば、‘０’、二番目のＡＢＳパターンが適用されれば、‘１’で表示される。他の方法としては、暗示的（ｉｍｐｌｉｃｉｔ）に指示することもできる。例えば、２つのパターンが共にＣＳＩ−ＲＳを参考するサブフレームであることを指示する場合、無条件に一番目または二番目のＡＢＳパターンを適用するＣＳＩ情報を報告する。
【００２５】
本発明の提案によれば、周波数分割二重化（Ｆｒｅｑｕｅｎｃｙ  Ｄｉｖｉｓｉｏｎ  Ｄｕｐｌｅｘ、ＦＤＤ）／時間分割二重化（Ｔｉｍｅ  Ｄｉｖｉｓｉｏｎ  Ｄｕｐｌｅｘ、ＴＤＤ）によってパターンサイズが変わる。ＦＤＤの場合には、４０ビットのビットマップが使用され、１ビット当たり１つのサブフレーム（ｓｕｂｆｒａｍｅ）に対応する。したがって、全体４０サブフレームで構成された４フレームを１つのビットマップで指示し、時間としては、全体４０ｍｓに該当する。ＴＤＤの場合には、ＴＤＤ設定によって、ビットマップのサイズが異なる。ＴＤＤ設定０は、７０ビットのビットマップ（７０ｍｓに該当）、ＴＤＤ設定１〜５は、２０ビットのビットマップ（２０ｍｓに該当）、ＴＤＤ設定６は、６０ビットのビットマップ（６０ｍｓに該当）を使用する。このようにビットマップのサイズが異なる理由は、ＨＡＲＱ周期サイズを考慮してパターン情報を提供するからである。図３は、ＦＤＤの場合であり、４０ビットを使用して、４フレーム（４０ｍｓ）、すなわち４０サブフレームに対するＡＢＳ情報を通知している。また、パターン情報は、４０サブフレームごとに繰り返されて適用される。
【００２６】
図４は、本発明の実施例によってパターン１による測定を指示するためのＲＲＣ（Ｒａｄｉｏ  Ｒｅｓｏｕｒｃｅ  Ｃｏｎｔｒｏｌ）シグナリングを示す流れ図である。
【００２７】
まず、４１０段階で、基地局４０５は、端末４００に端末能力（ＵＥ  ｃａｐａｂｉｌｉｔｙ）を報告することを指示するために端末能力報告要請メッセージ（ＵＥ  Ｃａｐａｂｉｌｉｔｙ  Ｅｎｑｕｉｒｙ）を端末４００に伝送する。それでは、端末４００は、基地局４０５にセル間の干渉制御（ｅＩＣＩＣ）動作が可能であることを報告するために、４１５段階で、端末能力報告メッセージ（ＵＥＣａｐａｂｉｌｉｔｙＩｎｆｏｒｍａｔｉｏｎ）を基地局４０５に伝送する。
【００２８】
それでは、端末４００は、基地局４０５からサービングセルのＲＲＭ／ＲＬＭ測定のためのＡＢＳパターン情報をＲＲＣ連結再設定（ＲＲＣ  ｃｏｎｎｅｃｔｉｏｎ  ｒｅｃｏｎｆｉｇｕｒａｔｉｏｎ）メッセージを通じて４２０段階で伝達される。もし、前記受信したＲＲＣ  ｃｏｎｎｅｃｔｉｏｎ  ｒｅｃｏｎｆｉｇｕｒａｔｉｏｎメッセージのｍｅａｓＳｕｂｆｒａｍｅＰａｔｔｅｒｎＰＣｅｌｌ  ＩＥが測定設定（ｓｅｔｕｐ）指示とともにパターン情報ｍｅａｓＳｕｂｆｒａｍｅＰａｔｔｅｒｎを含む場合、端末４００は、ＡＢＳに限ってサービングセルの無線資源管理（ＲＲＭ／ＲＬＭ）測定を行うようになる。
【００２９】
言い換えれば、ＲＲＣ連結再設定メッセージのｍｅａｓＳｕｂｆｒａｍｅＰａｔｔｅｒｎＰＣｅｌｌ  ＩＥが設定である場合は、パターン１によって、前記ＲＲＣ連結再設定メッセージに含まれたパターン情報を利用してサービングセルを測定するように指示するものと解釈されることができる。
【００３０】
もし、４２５段階で、端末がＲＲＣ連結再設定（ＲＲＣ  ｃｏｎｎｅｃｔｉｏｎ  ｒｅｃｏｎｆｉｇｕｒａｔｉｏｎ）メッセージのｍｅａｓＳｕｂｆｒａｍｅＰａｔｔｅｒｎＰＣｅｌｌ  ＩＥで解除（ｒｅｌｅａｓｅ）指示を受けるようになれば、端末は、実行中のｅＩＣＩＣを中止するようになる。
【００３１】
図５は、本発明の実施例によってパターン２による測定を指示するためのＲＲＣシグナリングを示す流れ図である。
【００３２】
まず、５１０段階で、基地局５０５は、端末５００に端末能力（ＵＥ  ｃａｐａｂｉｌｉｔｙ）を報告することを指示するために端末能力報告要請メッセージ（ＵＥＣａｐａｂｉｌｉｔｙＥｎｑｕｉｒｙ）を端末５００に伝送する。それでは、端末５００は、基地局５０５にセル間の干渉制御（ｅＩＣＩＣ）動作が可能であることを報告するために、５１５段階で、端末能力報告メッセージ（ＵＥＣａｐａｂｉｌｉｔｙＩｎｆｏｒｍａｔｉｏｎ）を基地局５０５に伝送する。
【００３３】
それでは、端末５００は、基地局５０５から隣接セルのＲＲＭ測定のためのＡＢＳパターン情報をＲＲＣ連結再設定（ＲＲＣ  ｃｏｎｎｅｃｔｉｏｎ  ｒｅｃｏｎｆｉｇｕｒａｔｉｏｎ）メッセージを通じて５２０段階で伝達される。もし、受信したＲＲＣ  ｃｏｎｎｅｃｔｉｏｎ  ｒｅｃｏｎｆｉｇｕｒａｔｉｏｎメッセージのｍｅａｓＳｕｂｆｒａｍｅＰａｔｔｅｒｎＣｏｎｆｉｇＮｅｉｇｈ  ＩＥが測定設定（ｓｅｔｕｐ）指示とともにパターン情報ｍｅａｓＳｕｂｆｒａｍｅＰａｔｔｅｒｎを含む場合、端末５００は、ＡＢＳに限って隣接セルの無線資源管理（ＲＲＭ）測定を行うようになる。
言い換えれば、ＲＲＣ連結再設定メッセージのｍｅａｓＳｕｂｆｒａｍｅＰａｔｔｅｒｎＣｏｎｆｉｇＮｅｉｇｈｌ  ＩＥが設定である場合は、パターン２によって、前記ＲＲＣ連結再設定メッセージに含まれたパターン情報を利用して隣接セルを測定するように指示したものと解釈されることができる。
【００３４】
もし、端末５００が５２５段階でＲＲＣ連結再設定（ＲＲＣ  ｃｏｎｎｅｃｔｉｏｎ  ｒｅｃｏｎｆｉｇｕｒａｔｉｏｎ）メッセージのｍｅａｓＳｕｂｆｒａｍｅＰａｔｔｅｒｎＣｏｎｆｉｇＮｅｉｇｈ  ＩＥで解除（ｒｅｌｅａｓｅ）指示を受けるようになれば、端末は、実行中のｅＩＣＩＣを中止するようになる。
【００３５】
図６は、本発明の実施例によってパターン３による測定を指示するためのＲＲＣシグナリングを示す流れ図である。
【００３６】
まず、６１０段階で、基地局６０５は、端末６００に端末能力（ＵＥ  ｃａｐａｂｉｌｉｔｙ）を報告することを指示するために端末能力報告要請メッセージ（ＵＥＣａｐａｂｉｌｉｔｙＥｎｑｕｉｒｙ）を端末６００に伝送する。それでは、端末６００は、基地局６０５にセル間の干渉制御（ｅＩＣＩＣ）動作が可能であることを報告するために、６１５段階で、端末能力報告メッセージ（ＵＥＣａｐａｂｉｌｉｔｙＩｎｆｏｒｍａｔｉｏｎ）を基地局６０５に報告する。
【００３７】
それでは、端末６００は、基地局６０５からサービングセルのＣＳＩ測定のためのＡＢＳパターン情報をＲＲＣ連結再設定（ＲＲＣ  ｃｏｎｎｅｃｔｉｏｎｒｅ  ｃｏｎｆｉｇｕｒａｔｉｏｎ）メッセージを通じて６２０段階で伝達される。もし、受信したＲＲＣ連結再設定（ＲＲＣ  ｃｏｎｎｅｃｔｉｏｎ  ｒｅｃｏｎｆｉｇｕｒａｔｉｏｎ）メッセージのｃｓｉ−ＳｕｂｆｒａｍｅＰａｔｔｅｒｎＣｏｎｆｉｇ  ＩＥが測定設定（ｓｅｔｕｐ）指示とともに２つのパターン情報ｍｅａｓＳｕｂｆｒａｍｅＰａｔｔｅｒｎを含めば、端末６００は、当該パターン情報とともに、ＡＢＳに限ってサービングセルのＣＳＩ測定を行うようになる。
【００３８】
もし、端末６００が６２５段階でＲＲＣ連結再設定（ＲＲＣ  ｃｏｎｎｅｃｔｉｏｎ  ｒｅｃｏｎｆｉｇｕｒａｔｉｏｎ）メッセージのｃｓｉ−ＳｕｂｆｒａｍｅＰａｔｔｅｒｎＣｏｎｆｉｇ  ＩＥで解除（ｒｅｌｅａｓｅ）指示を受けるようになれば、端末は、実行中のｅＩＣＩＣを中止するようになる。
【００３９】
一方、ＲＲＣシグナリングで端末に提供されたパターン情報をＲＲＭ／ＲＬＭまたはＣＳＩ測定を制限するのに利用するためには、各ビットマップのビットがどんなサブフレームにマッピング（ｍａｐｐｉｎｇ）されるかを定義しなければならない。ビットマップ形態で提供されたパターン情報において最初のビットは、ＳＦＮ（Ｓｙｓｔｅｍ  Ｆｒａｍｅ  Ｎｕｍｂｅｒ）＝０であるフレームの一番目のサブフレームにマッピングされる。その後、ビットは、次のサブフレームと一対一でマッピングされる。１つのＳＦＮサイクル内のサブフレーム数は、ビットマップのビット数よりも大きいので、ビットマップのビットは、パターン周期をもって繰り返して適用される。すなわち、パターンが始まるサブフレームは、下記の数式で定義される。
【００４０】
【数１】
0006038811.tif 000002
【００４１】
図７は、ビットマップ情報とサブフレームマッピング関係を説明するための図である。各フレーム（またはラジオフレーム）ごとにＳＦＮ値が付与され、フレームが増加するほどＳＦＮは１ずつ増加する。ＳＦＮ値は、一定周期で繰り返される。本発明の好ましい実施例によれば、前記ＳＦＮ値は、１０２４周期とともに、０から１０２３までの範囲を持って繰り返されることができる。１０２３値をフレーム７００が終われば、次のフレーム７１０は、さらにＳＦＮ＝０である値を付与され、新しいＳＦＮサイクル７０５が始まる。基地局からｅＩＣＩＣのために提供されたビットマップ情報７２０は、サブフレームにマッピングされ、ＲＲＭ／ＲＬＭまたはＣＳＩ測定を行うサブフレームであることを指示する。
【００４２】
サブフレーム番号７１５は、毎フレームごとにリセットされ、０から９までの範囲を有する。すなわち、１つのフレームは、１０個のサブフレームを含むことができる。ビットマップ７２０が示す一番目のビット７３０は、ＳＦＮ＝０であるフレームの一番目のサブフレーム７２５とマッピングされる。すなわち、ビットマップ７２０の一番目のビット７３０は、ＳＦＮ＝０である一番目のサブフレーム７２５でのｅＩＣＩＣ動作実行可否を指示する。そして、その後、ビットは、次のサブフレームと一対一でマッピングされる。前述したように、１つのＳＦＮサイクル内のサブフレーム数は、ビットマップのビット数よりも大きいので、ビットマップのビットパターン周期ごとに繰り返して適用される。
【００４３】
ところが、前記マッピング方式では、追加的な定義が必要である。すなわちＴＤＤ設定０、６の場合は、それぞれ７０ｍｓ、６０ｍｓの周期を有するパターン情報を利用する。ＳＦＮサイクルのサイズは、１０２４なので、７０ｍｓまたは６０ｍｓ周期を繰り返してマッピングしては、次のＳＦＮ＝０でパターンがさらに始まらない。したがって、ＳＦＮサイクルサイズ（周期）がパターン情報長さの整数倍ではない場合、ｅＩＣＩＣをどんな方式で行うかに対して追加的な定義が必要である。
【００４４】
図８は、本発明での追加的な動作定義を説明するための図である。一番目のＳＦＮ＝０である位置８００でＴＤＤ設定６  ８０５のパターンが提供され、このパターン８１０を構成するそれぞれのビットは、ＳＦＮ＝０であるフレームの一番目のサブフレームから一対一でマッピングされ、それぞれのサブフレームでのｅＩＣＩＣ実行可否を指示する。前記パターンは、繰り返してＳＦＮ＝１０２０であるフレーム８１５まで適用される。
【００４５】
しかし、ＳＦＮ＝１０２０であるフレーム８１５と次のＳＦＮ＝０であるフレーム８２０までのサブフレームの数は、１つのパターンをマッピングするには十分ではない。したがって、本発明では、ＳＦＮ＝１０２０であるフレームから続いてパターン情報を適用し、且つ、次のＳＦＮ＝０であるフレーム８２０が渡来すれば、当該パターン情報がすべてマッピングされないとしても、これを中止し、さらに新しくパターン８３０を適用する。
【００４６】
図９は、ｅＩＣＩＣを行う端末の動作手順を示す流れ図である。
【００４７】
まず、端末は、基地局から９００段階で端末能力（ＵＥ  ｃａｐａｂｉｌｉｔｙ）を報告することを指示される。それでは、端末は、基地局にｅＩＣＩＣ動作が可能であることを９０５段階で報告する。
【００４８】
基地局は、端末に９１０段階でＲＲＣ連結再設定（ＲＲＣ  Ｃｏｎｎｅｃｔｉｏｎ  Ｒｅｃｏｎｆｉｇｕｒａｔｉｏｎ）メッセージを通じて、ｅＩＣＩＣ実行を指示し、これに必要なＡＢＳパターン情報及び測定対象（すなわち、パターン１〜３のいずれか１つ）など設定情報を提供する。端末は、９１５段階で、パターン情報が始まるサブフレームを決定し、現在サブフレームにビットマップのどんなビット情報が適用されなければならないかを判断する。本発明の一実施例によれば、ビットマップの一番目のビットは、システムフレームナンバー（Ｓｙｓｔｅｍ  Ｆｒａｍｅ  Ｎｕｍｂｅｒ）の値が０であるフレームの一番目のサブフレームに対応して前記測定可否を指示する。また、前記ビットマップの前記一番目のビット以後のビットは、前記一番目のサブフレームの次のサブフレームに対応して前記測定可否を指示する。
【００４９】
端末は、９２０段階で、ビット情報に基づいて現在サブフレームでＲＲＭ／ＲＬＭまたはＣＳＩ測定を行う。９２５段階で、サブフレーム番号を増加させる。端末は、９３０段階で、ＳＦＮサイクルの終了時点が近接してくるかを判断する。ＳＦＮサイクルの終了時点が近接するというのは、あらかじめ決定されたＳＦＮの繰り返し周期の終了時点からあらかじめ決定された個数のフレーム以前であるかを判断することを意味することができる。例えば、ＳＦＮが１０２４周期であり、あらかじめ決定された個数が４０なら、ＳＦＮが１０２４−４０＝９８４の値を有する時点で前記判断を行うことを意味する。
【００５０】
もし終わらなかったら、端末は、９５０段階で、パターンが終わって行くかを判断する。パターンが終われば、９５５段階で、ビットマップの最初のビットを適用し、９２０段階に戻って、次のサブフレームでＲＲＭ／ＲＬＭまたはＣＳＩ測定を行う。
【００５１】
もし、９３０段階で、ＳＦＮサイクルが終わって行くと判断されれば、パターンサイズが６０または７０ｍｓであるかを９３５段階で確認する。６０または７０ｍｓなら、ＳＦＮサイクルが終わってＳＦＮ＝０にリセットされれば、今まで実行中のパターンを９４０段階で中止し、９４５段階で、ビットマップの最初のビットを適用し、９２０段階に戻ってＳＦＮ＝０である次のサブフレームでＲＲＭ／ＲＬＭまたはＣＳＩ測定を行う。
【００５２】
図１０は、本発明を適用した端末の内部構造を示すブロック図である。
【００５３】
端末は、上位階層１０１０とデータなどを送受信し、制御メッセージ処理部１０１５を通じて制御メッセージを送受信する。そして、前記端末は、基地局に制御信号またはデータ送信時に、制御部１０２０の制御によって多重化装置１００５を通じて多重化後、送信機１０００を通じてデータを伝送する。一方、受信時に、端末は、制御部１０２０の制御によって受信機１０００で物理信号を受信した後、逆多重化装置１００５で受信信号を逆多重化し、それぞれメッセージ情報によって上位階層１０１０あるいは制御メッシュだ処理部１０１５に伝達する。
【００５４】
本発明の実施例によれば、前記制御部１０２０は、前記サービングセルまたは隣接セル測定のためのパターン情報を含むＲＲＣ連結再設定メッセージを基地局から受信する。そして、前記制御部１０２０は、前記ＲＲＣ連結再設定メッセージで指示する測定対象に対して前記パターン情報を利用して前記サービングセルまたは隣接セルを測定し、前記測定結果を前記基地局に報告するように制御する。
【００５５】
本発明の一実施例によれば、前記制御部１０２０は、一定周期で繰り返されるシステムフレームナンバーの終了時点近接時に前記システムフレームナンバーの繰り返し周期が前記パターン情報サイズの整数倍であるかを判断することができる。整数倍ではない場合、制御部１０２０は、前記システムフレームナンバーの値が０になる時点に現在適用されている前記パターン情報の適用を終了し、これと同時に、前記パターン情報の一番目のビットを前記システムフレームナンバーの値が０であるフレームの一番目のサブフレームに対応させて前記測定を行う。
【符号の説明】
【００５６】
１００…    マクロセル
１０５…    端末
１１０…    ＣＳＧセル
２００…    マクロセル
２０５…    端末
２１０…    ピコセル
３００…    犠牲セルの連続したサブフレーム構造
３０５…    攻撃セルの連続したサブフレーム構造
４００…    端末
４０５…    基地局
５００…    端末
５０５…    基地局
６００…    端末
６０５…    基地局
１０００…    送受信機
１００５…    多重化及び逆多重化装置
１０１０…    上位階層装置
１０１５…    制御メッセージ処理部
１０２０…    制御部
【図１】
0006038811.tif 000003
【図２】
0006038811.tif 000004
【図５】
0006038811.tif 000005
【図６】
0006038811.tif 000006
【図７】
0006038811.tif 000007
【図８】
0006038811.tif 000008
【図９】
0006038811.tif 000009
【図１０】
0006038811.tif 000010
【図３】
0006038811.tif 000011
【図４】
0006038811.tif 000012
【図１１】
0006038811.tif 000013